(57)【要約】【課題】  建物の玄関以外の空間内を汚すことなく収納空間への物の搬出入を行うことができる建物の収納構造を提供する。【解決手段】  玄関１１に隣り合って該玄関と階段室１６との間に設けられた収納空間１９を、階段１７の踊り場１８の床１８ａと同じ高さ位置に設けられた仕切り床２１により上部収納空間部２２と下部収納空間部２３とに仕切り、上部収納空間部２２に、階段１７の踊り場１８に開放する出入口２２ａを形成し、下部収納空間部２３に、玄関１１に開放する出入口２３ｂを形成する。【選択図】  図２
2006112195.tif 000002
【特許請求の範囲】
【請求項１】
玄関と、該玄関が設けられた階と異なる階へ昇降する階段のための階段室と、前記玄関に隣り合って該玄関と前記階段室との間に設けられた収納空間とを備え、前記収納空間は、前記階段に設けられる踊り場の床とほぼ同じ高さ位置に設けられた仕切り床により上部収納空間部と下部収納空間部とに仕切られており、前記上部収納空間部には、前記階段の前記踊り場に開放する出入口が形成されており、前記下部収納空間部には、前記玄関に開放する出入口が形成されていることを特徴とする建物の収納構造。
【請求項２】
前記下部収納空間部は、前記階段の下方に延在していることを特徴とする請求項１に記載の建物の収納空間。
【請求項３】
前記下部収納空間部の床は、前記玄関の土間とほぼ同一高さに設定されていることを特徴とする請求項１乃至２に記載の建物の収納構造。
【請求項４】
前記下部収納空間部の床の高さは、前記玄関の土間のそれよりも低く設定されていることを特徴とする請求項１乃至２に記載の建物の収納構造。
【請求項５】
前記下部収納空間部には、前記建物の床下空間への進入を許す開口が形成されていることを特徴とする請求項４に記載の建物の収納構造。
【発明の詳細な説明】
【技術分野】
【０００１】
本発明は、建物内に上下方向に設けられた収納構造に関する。
【背景技術】
【０００２】
従来、建物の床下空間を収納空間として利用した収納構造が知られている。しかしながら、この収納構造では、収納物を出し入れする度に、床に形成された出入口を開閉すべく該出入口を塞ぐ蓋をしゃがみこんで持ち上げる必要があるため、使い勝手が悪い。
【０００３】
そこで、使い勝手を改良し、建物内の空間の利用効率を向上させるために、多層階の建物内に各階を上下方向に貫通するように階段室を設け、該階段室と各階に設けられた各居室との間に上下方向に整列する収納空間を設けることが提案されている（例えば、特許文献１乃至２参照。）。
【０００４】
この収納構造では、各収納空間内が、各階における階段室内の階段に設けられた踊り場の床とほぼ同じ高さ位置に設けられた仕切り床で上部収納空間部と下部収納空間部とに仕切られている。上部収納空間部には、階段の踊り場に開放する出入口が形成されており、下部収納空間部には、居室内に開放する出入口が形成されている。
【０００５】
この収納構造によれば、床に蓋を設けることなく、従って、収納物を出し入れする度に床に設けられた蓋を持ち上げることなく、各出入口を経て上部収納空間部内及び下部収納空間部内のそれぞれに階段の踊り場及び居室から物を容易に収納することができるので、収納空間の使い勝手を向上させることができる。
【０００６】
また、上部収納空間部内には、階段の踊り場から物を直接収納することができるので、踏み台やはしご等を用いることなく収納空間の手の届き難い上部に物を容易に出し入れすることができる。
【特許文献１】特許２６８２６０８（第３−５項、図１）
【特許文献２】特開２００２−４５９５号公報（第２−３項、図３）
【発明の開示】
【発明が解決しようとする課題】
【０００７】
しかしながら、従来の収納構造では、階段の踊り場及び居室から各階の収納空間内に物を出し入れすることから、各収納空間内に収容された物を屋外に搬出するとき、又は、屋外から各収納空間内に物を搬入するとき、建物内の居室及び階段室等を経由する必要がある。このため、例えば靴、傘、園芸用具、屋外遊具及び大工用工具のような濡れた物や汚れた物を収納空間内に搬入するとき、又は、これらの物を収納空間から屋外に搬出するときに、収納空間に至る建物内の居室及び階段等の玄関の土間以外の領域を泥や水等で汚す虞があり、搬出入に注意を払う必要がある。そのため、これらの収納には適さない。
【０００８】
本発明の目的は、建物の玄関以外の領域を汚すことなく収納空間への物の搬出入を行うことができる建物の収納構造を提供することにある。
【課題を解決するための手段】
【０００９】
上記課題を解決するために、本発明は、玄関と、該玄関が設けられた階と異なる階へ昇降する階段のための階段室と、前記玄関に隣り合って該玄関と前記階段室との間に設けられた収納空間とを備え、前記収納空間は、前記階段に設けられる踊り場の床とほぼ同じ高さ位置に設けられた仕切り床により上部収納空間部と下部収納空間部とに仕切られており
、前記上部収納空間部には、前記階段の前記踊り場に開放する出入口が形成されており、前記下部収納空間部には、前記玄関に開放する出入口が形成されていることを特徴とする。
【００１０】
上記の構成では、収納空間の下部収納空間部の出入口が玄関に開放していることから、例えば屋外で使用した傘や大工用工具のように濡れたり汚れたりして建物内の搬出入経路を汚す虞のある物を下部収納空間部内に玄関から直接出し入れすることができる。これにより、建物内を汚す虞のある物を玄関の土間を除く居室や階段のような土間以外の領域を経由することなく収納空間への搬入又は収納空間からの搬出を行うことができる。従って、濡れた物や汚れた物を収納空間内に搬入するとき、又は、それらの物を屋外に搬出するときに、建物内の玄関の土間以外の領域に従来のような泥や水等による汚れを生じさせることはない。
【００１１】
また、収納空間の上部収納空間部の出入口が階段の踊り場に開放していることから、階段の踊り場から上部収納空間部内に物を直接収納することができ、これにより、踏み台やはしご等を用いることなく収納空間の上部に物を容易に収納することができるので、収納空間内に収納する物に応じて、上部収納空間部と下部収納空間部とを使い分けることができる。
【００１２】
下部収納空間部を、階段の下方に延在させることができる。これにより、階段の下方の空間を収納空間として有効に利用することができる。
【００１３】
また、下部収納空間部の床を玄関の土間とほぼ同一高さに設定することができる。この場合、下部収納空間部の床と玄関の土間との高低差がなくなるので、下部収納空間部内への重量物の搬出入を容易に行うことができる。
【００１４】
更に、下部収納空間部の床の高さを玄関の土間のそれよりも低く設定することができる。この場合、下部収納空間部の床の高さが玄関の土間の高さよりも低くなった分、下部収納空間部の高さが高くなるため、下部収納空間部内の収納容量を増加させることができる。
【００１５】
また、下部収納空間部の床の高さを玄関の土間のそれよりも低く設定した場合、下部収納空間部に、建物の床下空間への進入を許す開口を形成することができる。これにより、玄関から下部収納空間部内を経て床下空間内に直接進入することができるので、例えば建物の点検のために業者が例えばキッチンや居室を経て床下空間内に進入することによるプライバシーの侵害を確実に防止することができる。また、玄関から下部収納空間部内を経て床下空間内に直接進入することができることから、キッチンや居室を通ることなく床下空間内へ出入りすることができるので、床下空間で作業をした業者がキッチンや居室に床下の汚れや塵埃等を持ち込むことを確実に防止することができる。
【発明の効果】
【００１６】
本発明によれば、例えば屋外で使用した傘や大工用具のように濡れたり汚れたりして建物内を汚す虞のある物を下部収納空間部内に玄関から直接出し入れすることにより、これらの物を建物内の居室や階段のような玄関の土間以外の領域を経由することなく収納空間内への搬入又はこれからの搬出を行うことができる。従って、濡れた物や汚れた物を収納空間内に搬入するとき、又は、それらの物を屋外に搬出するときに、建物内の玄関の土間以外の領域に従来のような泥や水等による汚れが生じることはない。また、階段の踊り場から上部収納空間部内に物を直接収納することができ、これにより、踏み台やはしご等を用いることなく収納空間の上部に物を容易に収納することができるので、収納空間内に収納する物に応じて、上部収納空間部と下部収納空間部とを使い分けることができる。
【発明を実施するための最良の形態】
【００１７】
本発明を図示の実施例に沿って説明する。
【実施例】
【００１８】
＜実施例１＞
本実施例では、二階建ての住宅に本発明を適用した例を示す。
【００１９】
図１は、本発明に係る住宅１２の平面図を示し、住宅１２は、図１に示すように、玄関１１を備える。玄関１１は、図示の例では、住宅１２の一階１２ａに設けられており、互いに直角な二つの外壁１３ａ,１３ｂにより規定される隅部に配置されている。一方の外
壁には、外開き式の扉１１ｂが設けられた玄関口１１ａが形成されている。また、一階１２ａには、他方の外壁１３ｂに平行に伸び、玄関１１に通じる廊下１５が設けられている。廊下１５と他方の外壁１３ｂとの間には、区画壁２０ａ、区画壁２０ｂ及び区画壁２０ｃがそれぞれ一方の外壁１３ａに平行且つ互いに間隔をおいて設けられている。区画壁２０ａは、両外壁１３ａ，１３ｂと共同して玄関１１を規定している。
【００２０】
また、廊下１５と他方の外壁１３ｂとの間には、両区画壁２０ｂ，２０ｃにより、廊下１５を経て玄関１１に通じる階段室１６が規定されている。階段室１６は、一階１２ａから図示しない二階へ上下方向に貫通している。階段室１６には、一階１２ａから二階に至る階段１７が配置されている。階段１７には、住宅１２の縦断面図を表す図２に示されているように、一階１２ａの階高の範囲内に踊り場１８が設けられている。踊り場１８の床１８ａの高さ位置は、図示の例では、一階１２ａの階高のほぼ半分の高さに設定されている。
【００２１】
また、玄関１１と階段室１６との間には、他方の外壁１３ｂと平行な区画壁２０ｄと、両区画壁２０ａ，２０ｂとにより収納空間１９が規定されている。収納空間１９は、玄関１１に隣接しており、図示の例では、階段室１６に隣接している。収納空間１９内には、図２に示すように、階段１７の踊り場１８の床１８ａと同じ高さ位置に、水平な仕切り床２１が設けられている。この仕切り床２１により、収納空間１９内は、上部収納空間部２２と下部収納空間部２３とに区画されている。
【００２２】
収納空間１９と階段室１６とを区画する区画壁２０ｂの下部収納空間部２３内に伸びる部分は除去されており、これにより、下部収納空間部２３は、図示の例では、階段１７の下方の空間に延在している。
【００２３】
収納空間１９と階段室１６とを区画する区画壁２０ｂには、階段１７の踊り場１８から上部収納空間部２２内への人の出入りを許す出入口２２ａが形成されている。出入口２２ａには、図示の例では、開閉可能な扉２４ａが設けられている。扉２４ａには、例えば従来よく知られた引き戸や外開き式の扉等を用いることができる。この扉２４ａの開閉操作により、出入口２２ａを経て上部収納空間部２２内への物の出し入れが可能となる。
【００２４】
下部収納空間部２３の床すなわち収納空間１９の床２３ａの高さ位置は、図示の例では、玄関１１の土間１４の高さ位置とほぼ同一に設定されている。収納空間１９と玄関１１とを区画する壁２０ｂには、下部収納空間部２３内への玄関１１からの人の出入りを許す出入口２３ｂが形成されている。出入口２３ｂには、上部収納空間部２２と同様に、開閉可能な扉２４ｂが設けられている。この扉２４ｂの開閉操作により、出入口２３ｂを経て下部収納空間部２３内への物の出し入れが可能となる。
【００２５】
本発明に係る収納構造では、住宅１２内を汚す虞のない物を収納空間１９に収納する際
、例えば廊下１５を経由して階段１７の踊り場１８から出入口２２ａを経て上部収納空間部２２内に搬入することができる。
【００２６】
他方、屋外で使用した靴、傘、園芸用具、屋外遊具及び大工用工具のように濡れたり汚れたりして住宅１２内を汚す虞がある物は、下部収納空間部２３内に収納される。この濡れた物や汚れた物を下部収納空間部２３内に収納するとき、廊下１５及び階段室１６を通ることなくこれら収納物を玄関１１から下部収納空間部２３の出入口２３ｂを経てこの下部収容空間部２３内に直接搬入することができる。また、下部収納空間部２３内に収容された物を屋外で使用するときは、搬入時と同様に、廊下１５及び階段室１６を通ることなく下部収納空間部２３に収容された物を玄関１１から取り出し、該玄関を経由して屋外へ搬出する。また、住宅１２内を汚す虞のない物を下部収納空間部２３内に収納することもできる。  
【００２７】
本実施例によれば、前記したように、収納空間１９の下部収納空間部２３の出入口２３ｂが玄関１１に開放していることから、例えば屋外で使用した傘や大工用具のように濡れたり汚れたりして住宅１２内を汚す虞のある物を下部収納空間部２３内に玄関１１から直接出し入れすることにより、これらの物を建物内の玄関１１の土間１４を除く居室や階段１７のような土間１４以外の領域を経由することなく収納空間１９内に搬出入することができる。
【００２８】
従って、濡れた物や汚れた物を収納空間１９内に搬入するとき、又は、それらの物を収納空間１９から屋外に搬出するときに、建物内の玄関１１の土間１４以外の領域である廊下１５及び階段室１６に従来のような泥や水等による汚れを生じさせることはない。
【００２９】
また、前記したように、収納空間１９の上部収納空間部２２の出入口２２ａが階段１７の踊り場１８に開放していることから、階段１７の踊り場１８から踏み台やはしご等を用いることなく収納空間１９の上部収納空間部２２内に物を容易に収納することができるので、収納空間１９内に収納する物に応じて、上部収納空間部２２と下部収納空間部２３とを使い分けることができる。
【００３０】
また、前記したように、下部収納空間部２３が階段１７の下方に延在していることから、階段１７の下方の空間を収納空間として有効に利用することができる。
【００３１】
更に、前記したように、下部収納空間部２３の床２３ａが玄関１１の土間１４とほぼ同一高さに設定されていることから、下部収納空間部２３の床２３ａと玄関１１の土間１４との高低差がなくなるので、下部収納空間部２３内への重量物の搬出入を容易に行うことができる。
【００３２】
本実施例では、収納空間１９が階段室１６に隣接している例を示したが、これに代えて、収納空間１９と階段室１６との間に空間を設けることができる。この場合、収納空間１９と階段室１６との間の空間を経て、階段室１６内の階段１７の踊り場１８から収納空間１９の上部収納空間部２２内に物を出し入れすることができる。
【００３３】
また、本実施例では、本発明を二階建ての住宅１２に適用した例を示したが、これに代えて、例えば三階以上の多層階の住宅又はビルのような住宅以外の建物に本発明を適用することができる。
【００３４】
＜実施例２＞
実施例１では、収納空間１９の下部収納空間部２３の床２３ａの高さ位置が玄関１１の土間１４の高さ位置とほぼ同一なるように設定された例を示したが、これに代えて、図３
に示すように、下部収納空間部２３の床２３ａの高さ位置が玄関１１の土間１４の高さ位置よりも低くなるように設定することができる。すなわち、下部収納空間部２３の床２３ａは、一階の床下に位置している。
【００３５】
玄関１１と収納空間１９とを区画する区画壁２０ａには、実施例１と同様に、下部収容空間部２３内への玄関１１からの人の出入りを許す出入口２３ｂが形成されている。
【００３６】
また、収納空間１９と廊下１５とを区画する壁２０ｃの下部収納空間部２３を規定する部分には、図１及び図３に示すように、該部分の床下空間２５に面する領域に該床下空間に開放する開口２６が形成されている。開口２６の大きさは、図示の例では、例えば床下を点検するために   業者が開口２６を経て床下空間２５内に進入可能な大きさを有する
。
【００３７】
本実施例によれば、前記したように、下部収納空間部２３の床２３ａの高さ位置が玄関１１の土間１４のそれよりも低く設定されていることから、下部収納空間部２３の床２３ａの高さ位置が玄関１１の土間１４の高さよりも低くなった分、下部収納空間部２３の高さが高くなるため、下部収納空間部２３内の収納容量を増加させることができる。
【００３８】
また、実施例１と同様に、玄関１１から出入口２３ｂを経て下部収納空間部２３内に直接出入りすることができるので、前記したように、下部収納空間部２３に、床下空間２５への進入を許す開口２６が形成されていることから、玄関１１から下部収納空間部２３内を経て床下空間２５内に直接進入することができる。
【００３９】
例えば基礎に断熱材を設けるいわゆる基礎断熱が施された従来の住宅では、基礎に床下空間２５への進入口を形成することができないため、例えばキッチンや居室の床下に設けられた床下収納空間から床下（２５）に進入していた。
【００４０】
このため、例えば床下の点検を目的とした業者が床下（２５）に進入するときにキッチンや居室に入るため、プライバシーを確保することができない。また、床下（２５）で点検作業をした業者が再びキッチンや居室を通るため、床下（２５）の汚れや塵埃等をキッチンや居室内に持ち込んでしまう虞があった。
【００４１】
これに対し、本実施例によれば、前記したように、玄関１１から下部収納空間部２３内を経て床下空間２５内に直接進入することができるので、建物の点検のために業者が例えばキッチンや居室を経て床下空間２５内に進入することによるプライバシーの侵害を確実に防止することができる。また、玄関１１から下部収納空間部２３内を経て床下空間２５内に直接進入することができるので、キッチンや居室を通ることなく床下空間２５に出入りすることができるので、床下で作業をした者がキッチンや居室のような玄関１１の土間１４以外の空間に床下の汚れや塵埃等を持ち込むことを確実に防止することができる。
【００４２】
本実施例では、下部収納空間部２３に形成された開口２６が、例えば点検のために業者が床下空間２５内に進入可能な大きさに形成された例を示したが、これに代えて、開口２６を例えば下部収納空間部２３と廊下１５とを区画する壁２０ｃの床下空間２５に面する領域の全域に形成することができる。
【００４３】
また、本実施例では、下部収納空間部２３と廊下１５とを区画する壁２０ｃに住宅１２の一階１２ａの床下空間２５に開放する開口２６が形成された例を示したが、これに代えて、下部収納空間部２３と玄関１１又は階段室１６とをそれぞれ区画する壁２０ａ，２０ｂに床下空間２５に開放する開口２６を形成することができる。
【図面の簡単な説明】
【００４４】
【図１】本発明が適用された住宅の一階を概略的に示す平面図である。
【図２】図１のI−I線に沿った縦断面図である。
【図３】実施例２に係る収納構造が適用された住宅を概略的に示す縦断面図である。
【符号の説明】
【００４５】
１１  玄関
１８  踊り場
１７  階段
１６  階段室
１９  収納空間
１８ａ  床（踊り場の床）
２１  仕切り床
２２  上部収納空間部
２３  下部収納空間部
２２ａ  出入口（上部収納空間部の出入口）
２３ｂ  出入口（下部収納空間部の出入口）
１０  収納構造
２３ａ  床（下部収納空間部の床）
１４  土間
２５  床下空間
２６  開口
【図１】
2006112195.tif 000003
【図２】
2006112195.tif 000004
【図３】
2006112195.tif 000005